(57)【要約】【課題】微量な電解液の漏れを検出できる蓄電装置の漏れ検出装置を提供すること。【解決手段】蓄電装置１２ａ〜１２ｉの漏れ検出装置１０であって、フレキシブル基板２１とフレキシブル基板２１に配設された銅プリント配線ＬＢ，Ｌ１〜Ｌ９とを有し、銅プリント配線ＬＢ，Ｌ１〜Ｌ９の間隔は１μｍ以上１００μｍ以下であるプリント配線基板２２と、銅プリント配線ＬＢ，Ｌ１〜Ｌ９の通電を検出する通電検出回路２３と、を備えた。【選択図】図２
2015082441.tif 000002
【特許請求の範囲】
【請求項１】
蓄電装置の漏れ検出装置であって、
基材と前記基材に配設された複数の導電性部材とを有し、前記複数の導電性部材の間隔は１μｍ以上１００μｍ以下である検出部と、
前記複数の導電性部材間の通電を検出する通電検出手段と、を備えた蓄電装置の漏れ検出装置。
【請求項２】
前記基材はオゾン処理がされている請求項１に記載の蓄電装置の漏れ検出装置。
【請求項３】
前記導電性部材は、銅プリント配線であり、
前記銅プリント配線の幅は、１μｍ以上１００μｍ以下である請求項１または２に記載の蓄電装置の漏れ検出装置。
【発明の詳細な説明】
【技術分野】
【０００１】
本発明は、蓄電装置の漏れ検出装置に関する。
【背景技術】
【０００２】
従来から、二次電池やキャパシタなどの蓄電装置は、外装部材（ケース）と、外装部材に収容された電極組立体と、外装部材に充填された電解液とを備えている。そして、例えば特許文献１に示されるように、外装部材から漏出した電解液を検出する漏れ検出装置が提案されている。特許文献１の漏れ検出装置は、２本の銅箔パターンを備えており、２本の銅箔パターンの短絡を検出することにより、電解液の漏出を検出している。
【先行技術文献】
【特許文献】
【０００３】
【特許文献１】特開２００１−８４９９６号公報
【発明の概要】
【発明が解決しようとする課題】
【０００４】
しかしながら、特許文献１の漏れ検出装置において、電解液の漏出を検出するための２本の銅箔パターンは、１ｍｍの間隔で平行に配置されている。このため、特許文献１の漏れ検出装置は、外装部材から漏出した電解液の塊が１ｍｍ以上になる迄の間、電解液の漏れを検出できなかった。
【０００５】
この発明は、上記従来技術に存在する問題点に着目してなされたものであり、その目的は、微量な電解液の漏れを検出できる蓄電装置の漏れ検出装置を提供することにある。
【課題を解決するための手段】
【０００６】
上記課題を解決する蓄電装置の漏れ検出装置は、蓄電装置の漏れ検出装置であって、基材と前記基材に配設された複数の導電性部材とを有し、前記複数の導電性部材の間隔は１μｍ以上１００μｍ以下である検出部と、前記複数の導電性部材間の通電を検出する通電検出手段と、を備えたことを要旨とする。
【０００７】
この構成によれば、隣り合う導電性部材同士は、外装部材から漏出した電解液の塊が３００μｍ未満の大きさであっても短絡する。そして、導電性部材間の短絡は、通電検出手段によって検出される。したがって、より微量な電解液の漏れを検出できる。
【０００８】
上記蓄電装置の漏れ検出装置について、前記基材はオゾン処理がされていることが好ましい。この構成によれば、基材の表面には、オゾン処理によって、微細な凹凸が設けられている。導電性部材間の間隔は、導電性部材と基材との密着性が向上されることから、小さくできる。さらに、電解液と基材との親和性は、向上されることから、より微量な電解液の漏れを検出できる。
【０００９】
上記蓄電装置の漏れ検出装置について、前記導電性部材は、銅プリント配線であり、前記銅プリント配線の幅は、１μｍ以上１００μｍ以下であることが好ましい。この構成によれば、基材において導電性部材が配設される領域をさらに小さくできる。したがって、より微量な電解液の漏れを検出できる。
【発明の効果】
【００１０】
本発明によれば、微量な電解液の漏れを検出できる。
【図面の簡単な説明】
【００１１】
【図１】蓄電装置モジュールを模式的に示す斜視図。
【図２】漏れ検出装置の模式図。
【図３】別の実施形態における蓄電装置モジュールを模式的に示す斜視図。
【図４】別の実施形態における蓄電装置モジュールを模式的に示す斜視図。
【発明を実施するための形態】
【００１２】
以下、蓄電装置の漏れ検出装置の一実施形態について説明する。
最初に、図１を参照し、漏れ検出装置１０の検査対象となる蓄電装置モジュール１１について説明する。蓄電装置モジュール１１は、複数の蓄電装置１２ａ〜１２ｉを有する。蓄電装置１２ａ〜１２ｉは、直線状かつ一列に並ぶように配置されている。以下、説明の便宜のため、図中において矢印に示すように、各蓄電装置１２ａ〜１２ｉが並ぶ方向を単に配置方向Ｄと示す。各蓄電装置１２ａ〜１２ｉは、例えばリチウムイオン二次電池、ニッケル水素二次電池、及び電気二重層キャパシタなどである。
【００１３】
各蓄電装置１２ａ〜１２ｉは、外装部材としてのケース１３と、ケース１３に収容されている電極組立体と、ケース１３に充填されている電解液（電解質）とを有する。ケース１３は、電極組立体を収容する有底四角筒状の本体部１３ａと、本体部１３ａの開口部を封止する蓋部１３ｂとを有する。蓋部１３ｂは、蓋部１３ｂの全周が本体部１３ａに溶接されている。
【００１４】
蓋部１３ｂは、ケース１３の内部圧力が規定の圧力まで上昇した場合に作動し、内部圧力を低下させるための安全弁１３ｃを有する。また、蓋部１３ｂは、電極組立体と電気的に接続されている外部端子１３ｄを有する。外部端子１３ｄは、ケース１３の外部に突出している。
【００１５】
次に、図２を参照し、漏れ検出装置１０について説明する。漏れ検出装置１０は、基材としてのフレキシブル基板２１と複数の導電性部材としての銅プリント配線ＬＢ，Ｌ１〜Ｌ９とを有する検出部としてのプリント配線基板２２と、複数の銅プリント配線ＬＢ，Ｌ１〜Ｌ９間の通電を検出する通電検出手段としての通電検出回路２３と、を備える。
【００１６】
プリント配線基板２２は、配置方向Ｄと直交する方向における蓄電装置モジュール１１の両側面であって、本体部１３ａと蓋部１３ｂとの溶接部分に対応する位置において、配置方向Ｄに沿って延在するように配置されている。即ち、各銅プリント配線ＬＢ，Ｌ１〜Ｌ９は、配置方向Ｄに沿って延在している。本実施形態において、銅プリント配線ＬＢは第１導電性部材となり、銅プリント配線Ｌ１〜Ｌ９は第２導電性部材となる。
【００１７】
配置方向Ｄに沿ったプリント配線基板２２の長さは、配置方向Ｄに沿った蓄電装置モジュール１１の長さより大きい。そして、銅プリント配線ＬＢは、配置方向Ｄにおける第１端に配置された蓄電装置１２ａから、第１端の反対側である第２端に配置された蓄電装置１２ｉに跨って延在している。また、銅プリント配線Ｌ１は各蓄電装置１２ａ〜１２ｉ、銅プリント配線Ｌ２は各蓄電装置１２ａ〜１２ｈ、銅プリント配線Ｌ３は各蓄電装置１２ａ〜１２ｇ、銅プリント配線Ｌ４は各蓄電装置１２ａ〜１２ｆに跨って延在している。
【００１８】
また、銅プリント配線Ｌ５は各蓄電装置１２ａ〜１２ｅ、銅プリント配線Ｌ６は各蓄電装置１２ａ〜１２ｄ、銅プリント配線Ｌ７は各蓄電装置１２ａ〜１２ｃ、銅プリント配線Ｌ８は各蓄電装置１２ａ〜１２ｂ、銅プリント配線Ｌ９は蓄電装置１２ａに跨って延在している。即ち、各銅プリント配線Ｌ１〜Ｌ９は、第１端の蓄電装置１２ａから跨って延在する蓄電装置の個数が異なる複数の銅プリント配線を含む。
【００１９】
各銅プリント配線ＬＢ，Ｌ１〜Ｌ９は、フレキシブル基板２１の一方の面に配設されている。プリント配線基板２２は、各銅プリント配線ＬＢ，Ｌ１〜Ｌ９が配設された面を各蓄電装置１２ａ〜１２ｉに対向させて配置されている。
【００２０】
各銅プリント配線ＬＢ，Ｌ１〜Ｌ９は、相互に平行である。また、各銅プリント配線ＬＢ，Ｌ１〜Ｌ９の間隔は、１μｍ以上１００μｍ以下である。各銅プリント配線ＬＢ，Ｌ１〜Ｌ９の幅は、例えば１μｍ以上１００μｍ以下である。各銅プリント配線ＬＢ，Ｌ１〜Ｌ９は、両端が開放されている。なお、説明の便宜のため、図２において、プリント配線基板２２の幅、銅プリント配線ＬＢ，Ｌ１〜Ｌ９の幅及び間隔は、実際よりも大きく図示されている。
【００２１】
また、フレキシブル基板２１は、オゾン処理がされている。オゾン処理は、フレキシブル基板２１をオゾン溶液に浸し、フレキシブル基板２１の表面を侵食させる処理である。このため、フレキシブル基板２１の表面は、微細な凹凸で覆われている。
【００２２】
このため、各銅プリント配線ＬＢ，Ｌ１〜Ｌ９の間隔が、１μｍ以上１００μｍ以下であっても、また各銅プリント配線ＬＢ，Ｌ１〜Ｌ９の幅が、例えば１μｍ以上１００μｍ以下で微細であっても、振動や温度変化にさらされてもフレキシブル基板２１から剥離し難い。
【００２３】
また、各銅プリント配線ＬＢ，Ｌ１〜Ｌ９には、通電検出回路２３が接続されている。通電検出回路２３は、銅プリント配線ＬＢと、各銅プリント配線Ｌ１〜Ｌ９との間に電流（電力）を供給する供給部としての電池部２４を有する。銅プリント配線ＬＢは、電池部２４の正極に接続されている。また、各銅プリント配線Ｌ１〜Ｌ９は、電池部２４の負極に接続されている。
【００２４】
また、通電検出回路２３は、銅プリント配線ＬＢと、各銅プリント配線Ｌ１〜Ｌ９との間における電圧値をそれぞれ検出する複数の電圧センサ２５を有する。また、通電検出回路２３は、銅プリント配線ＬＢと、各銅プリント配線Ｌ１〜Ｌ９との間における電流値をそれぞれ検出する複数の電流センサ２６を有する。通電検出回路２３は、検出された電圧値及び電流値に基づいて、銅プリント配線ＬＢと、各銅プリント配線Ｌ１〜Ｌ９との間の抵抗値をそれぞれ算出し、算出した抵抗値の変化に基づいて通電を各別に検出するＥＣＵ（Electronic Control Unit ）２７を有する。なお、図２では、一部の電圧センサ２５、電流センサ２６、及び配線が図示されている。
【００２５】
次に、上記のように構成した漏れ検出装置１０を用いた漏れ検出方法について、作用とともに説明する。
プリント配線基板２２は、配置方向Ｄと直交する方向における蓄電装置モジュール１１の両側面であって、本体部１３ａと蓋部１３ｂとの溶接部分に対応する位置において、配置方向Ｄに沿って延在するようにそれぞれ配置する。
【００２６】
この状態において、蓄電装置モジュール１１から電解液が漏出していない場合、銅プリント配線ＬＢ，Ｌ１〜Ｌ９は、通電検出回路２３が接続されていない側で開放されている。このため、電池部２４から供給される電流は、銅プリント配線ＬＢと各銅プリント配線Ｌ１〜Ｌ９との間の抵抗値が高いため、流れない。ＥＣＵ２７は、銅プリント配線ＬＢと各銅プリント配線Ｌ１〜Ｌ９との間の抵抗値が変化しないため、電解液の漏出が発生していないと判定する。
【００２７】
一方、蓄電装置モジュール１１から電解液が漏出している場合、銅プリント配線ＬＢと、各銅プリント配線Ｌ１〜Ｌ９は、漏出した電解液によって閉回路を形成する。本実施形態において、少なくとも銅プリント配線ＬＢと銅プリント配線Ｌ１とは、ケース１３から漏出した電解液の塊が３００μｍ未満の大きさであっても短絡する。電池部２４から供給される電流は、銅プリント配線ＬＢと短絡が発生した銅プリント配線Ｌ１〜Ｌ９との間の抵抗値が低下するため、流れる。ＥＣＵ２７は、銅プリント配線ＬＢと各銅プリント配線Ｌ１〜Ｌ９の何れかとの間の抵抗値が低下すると、電解液の漏出が発生したと判定する。この場合、ＥＣＵ２７は、図示しない報知手段を制御し、電解液が漏出していることを報知してもよい。
【００２８】
また、ＥＣＵ２７は、抵抗値が低下した銅プリント配線の組み合わせをもとに、蓄電装置１２ａ〜１２ｉの中で電解液が漏出した蓄電装置を特定する。例えば、ＥＣＵ２７は、塊状の電解液３０によって銅プリント配線ＬＢ，Ｌ１〜Ｌ５が短絡した場合、銅プリント配線ＬＢと各銅プリント配線Ｌ１〜Ｌ５との間の抵抗値の減少を検出する一方で、銅プリント配線ＬＢと各銅プリント配線Ｌ６〜Ｌ９との間の抵抗値の減少を検出しない。この場合、ＥＣＵ２７は、蓄電装置１２ａ〜１２ｉのうち、蓄電装置１２ｅにおいて電解液が漏出したと判定する。ＥＣＵ２７は、電解液が漏出した蓄電装置を特定した場合、図示しない報知手段を制御して電解液が漏出している蓄電装置を報知してもよい。
【００２９】
したがって、上記実施形態は以下の効果を有する。
（１）各銅プリント配線ＬＢ，Ｌ１〜Ｌ９の間隔は、１μｍ以上１００μｍ以下である。このため、漏れ検出装置１０は、ケース１３から漏出した電解液の塊が３００μｍ未満の大きさであっても、電解液の漏出を検出できる。したがって、より微量な電解液の漏れを検出できる。
【００３０】
（２）フレキシブル基板２１の表面には、オゾン処理によって微細な凹凸が設けられている。このため、銅プリント配線ＬＢ，Ｌ１〜Ｌ９とフレキシブル基板２１との密着性は向上される。即ち、銅プリント配線ＬＢ，Ｌ１〜Ｌ９は、間隔を狭くした場合であってもフレキシブル基板２１から剥離し難くなる。したがって、銅プリント配線ＬＢ，Ｌ１〜Ｌ９の間隔は、オゾン処理をしない場合と比較して小さくできる。さらに、電解液とフレキシブル基板２１との親和性は、向上されることから、より微量な電解液の漏れを検出できる。
【００３１】
（３）各銅プリント配線ＬＢ，Ｌ１〜Ｌ９の幅は、例えば１μｍ以上１００μｍ以下である。このため、フレキシブル基板２１において、銅プリント配線ＬＢ，Ｌ１〜Ｌ９が配設される領域をさらに小さくできる。したがって、より微量な電解液の漏れを検出できる。
【００３２】
（４）上述したような各銅プリント配線ＬＢ，Ｌ１〜Ｌ９の幅や間隔は、オゾン処理によってフレキシブル基板２１と銅プリント配線ＬＢ，Ｌ１〜Ｌ９との密着性を高めているために可能である。そして、プリント配線基板２２の幅は、各銅プリント配線ＬＢ，Ｌ１〜Ｌ９の幅や間隔を上述のように設定することで小さくできる。
【００３３】
（５）プリント配線基板２２は、本体部１３ａと蓋部１３ｂとの溶接部分に対応する位置において、配置方向Ｄに沿って延在するように配置する。このため、漏れ検出装置１０は、ケース１３において、強度が不足する可能性がある本体部１３ａと蓋部１３ｂとの溶接部分から漏出した電解液を容易に検出できる。
【００３４】
（６）プリント配線基板２２は、配置方向Ｄと直交する方向における蓄電装置モジュール１１の両側面にそれぞれ配置する。したがって、電解液の漏出は、より確実に検出される。
【００３５】
実施形態は前記に限定されるものではなく、例えば、次のように具体化してもよい。
○  図３に示すように、プリント配線基板２２は、蓄電装置１２ａ〜１２ｉの一部又は全部において、本体部１３ａと蓋部１３ｂとの溶接部分を覆うように捲回してもよい。この場合、プリント配線基板２２を配置する蓄電装置は、１つおきであってもよい。
【００３６】
○  図４に示すように、プリント配線基板２２は、安全弁１３ｃに沿って配置してもよい。この構成によれば、ケース１３の内部圧力が上昇して安全弁１３ｃが作動したことを検出できる。
【００３７】
○  銅プリント配線ＬＢ，Ｌ１〜Ｌ９の本数や極性は、適宜変更できる。
○  蓄電装置モジュール１１を構成する蓄電装置の個数は、８個以下であってもよく、１０個以上であってもよい。
【００３８】
○  銅プリント配線ＬＢ，Ｌ１〜Ｌ９は、硬質な基板上に配設されていてもよい。また、フレキシブル基板２１の大きさや形状を変更してもよい。
○  フレキシブル基板２１は、銅プリント配線ＬＢ，Ｌ１〜Ｌ９に代えて、銅線を有していてもよい。また、銅以外の金属を用いてもよい。
【００３９】
○  各蓄電装置１２ａ〜１２ｉは、円筒状の蓄電装置であってもよく、５角柱状や６角柱上であってもよい。
○  漏れ検出装置１０で検査する蓄電装置は１つであってもよい。
【００４０】
○  漏れ検出装置１０は、電解液の漏出を検出できればよく、漏出が発生している蓄電装置を特定しない構成であってもよい。
○  漏れ検出装置１０は、プリント配線基板２２を１本だけ有していてもよく、３本以上を有していてもよい。
【００４１】
○  ＥＣＵ２７は、さらに各蓄電装置１２ａ〜１２ｉの充電コントローラとして機能させてもよい。この場合、ＥＣＵ２７は、充電中において、電解液の漏出が検出された場合、各蓄電装置１２ａ〜１２ｉの充電を停止させるとよい。
【００４２】
○  漏れ検出装置１０を組み付けた蓄電装置モジュール１１は、車両に搭載されていてもよい。この場合、プリント配線基板２２を小型化できることから、蓄電装置モジュール１１の温度調節をするための熱交換媒体の流通が妨げられることを抑制できる。
【００４３】
以下、上記実施形態及び変更例から把握できる技術的思想について追記する。
（イ）複数の蓄電装置を有し、前記複数の蓄電装置は並ぶように配置されている蓄電装置モジュールであって、蓄電装置の漏れ検出装置を備えていることが好ましい。
【００４４】
（ロ）前記導電性部材は、前記複数の蓄電装置が並ぶ方向に沿って延在し、第１導電性部材と、前記第１導電性部材とは異なる極性の第２導電性部材と、を有し、
前記第１導電性部材は、前記並ぶ方向における第１端に配置された蓄電装置から、前記第１端の反対側である第２端に配置された蓄電装置に跨って延在し、
前記第２導電性部材は、前記第１端の蓄電装置から跨って延在する蓄電装置の個数が異なる複数の導電性部材を含むことが好ましい。
【符号の説明】
【００４５】
ＬＢ…銅プリント配線（導電性部材、第１導電性部材）、Ｌ１〜Ｌ９…銅プリント配線（導電性部材、第２導電性部材）、１０…漏れ検出装置、１１…蓄電装置モジュール、１２ａ〜１２ｉ…蓄電装置、２１…フレキシブル基板（基材）、２２…プリント配線基板（検出部）、２３…通電検出回路（通電検出手段）。
【図１】
2015082441.tif 000003
【図２】
2015082441.tif 000004
【図３】
2015082441.tif 000005
【図４】
2015082441.tif 000006